(57)【要約】  スライダーに特別な加工を施すことなく簡単に取り付けることができ、スライダーにファスナーエレメント列の脱着以外の別機能を付加することができるスライドファスナーのスライダーカバー及びスライダーカバー付きスライドファスナーを提供する。  上下方向に離間して並行に配置される上部材（５１）及び下部材（５２）と、上部材（５１）及び下部材（５２）を連結する連結柱（５３）と、を備え、上部材（５１）は、スライダー（１０）の上翼板（２１）の少なくとも一部を収容する収容部（５４）を有する。
2014033926.tif 000002
【特許請求の範囲】
【請求項１】
上下方向に離間して並行に配置される上部材（５１，６１，７１，８１）及び下部材（５２，６２，７２，８２）と、
前記上部材及び前記下部材を連結する連結柱（５３，６３，７３，８３）と、を備え、
前記上部材は、スライダー（１０）の上翼板（２１）の少なくとも一部を収容する収容部（５４，６４，７４，８４）を有することを特徴とするスライドファスナーのスライダーカバー。
【請求項２】
前記収容部（５４，６４，７４，８４）は、前記上翼板（２１）の全周を収容することを特徴とする請求項１に記載のスライドファスナーのスライダーカバー。
【請求項３】
前記収容部（５４，６４，７４，８４）は、前記上部材（５１，６１，７１，８１）の上下面を貫通した孔部であることを特徴とする請求項１又は２に記載のスライドファスナーのスライダーカバー。
【請求項４】
前記収容部（５４，６４，７４，８４）は、前記孔部を形成するための内側面（５４ａ，６４ａ，７４ａ，８４ａ）を有し、
前記内側面の少なくとも一部は、前記上翼板（２１）の側壁（２１ａ）の少なくとも一部と接触するように、前記上翼板（２１）を収納することを特徴とする請求項３に記載のスライドファスナーのスライダーカバー。
【請求項５】
前記収容部（５４，７４，８４）は、前記上翼板（２１）よりも大きく形成されており、
前記スライダーカバー（５０，７０，８０）が前記スライダー（１０）に取り付けられた状態において、前記収容部の前記内側面（５４ａ，７４ａ，８４ａ）と前記上翼板の前記側壁（２１ａ）との間に隙間（Ｓ）が形成されることを特徴とする請求項４に記載のスライドファスナーのスライダーカバー。
【請求項６】
前記スライダーカバー（５０，６０，７０，８０）が前記スライダー（１０）に取り付けられた状態において、前記上部材（５１，６１，７１，８１）の上面と前記上翼板（２１）の上面とが同一高さにあることを特徴とする請求項１〜５のいずれか１項に記載のスライドファスナーのスライダーカバー。
【請求項７】
前記スライダー（１０）は、前記上翼板（２１）の上面に設けられる引手取付部（２０ａ）と、前記引手取付部（２０ａ）に取り付けられる引手（１１）と、を備え、
前記引手取付部（２０ａ）及び前記引手（１１）は、前記上部材（５１，６１，７１，８１）よりも上側に配置されることを特徴する請求項１〜５のいずれか１項に記載のスライドファスナーのスライダーカバー。
【請求項８】
前記上部材（５１，６１，７１，８１）の左右両側縁に沿って下方に向けて突設されるカバー側フランジ（５５，６５，７５，８５）を備えることを特徴とする請求項１〜７のいずれか１項に記載のスライドファスナーのスライダーカバー。
【請求項９】
前記カバー側フランジ（５５，６５）の下端縁が、前記上翼板（２１）の左右両側縁に沿って下方に向けて突設されるスライダー側フランジ（２４ａ）の下端縁よりも下方に配置されることを特徴とする請求項８に記載のスライドファスナーのスライダーカバー。
【請求項１０】
前記下部材（５２，６２，７２）には、前記スライダー（１０）の下翼板（２２）の一部を収容する凹部（５２ａ，６２ａ，７２ａ）が形成されることを特徴とする請求項１〜９のいずれか１項に記載のスライドファスナーのスライダーカバー。
【請求項１１】
前記上部材（５１）と前記下部材（５２）との間であって、且つ前記連結柱（５３）の両側に形成され、スライドファスナー（３０）のファスナーエレメント列（３１）を案内する左右一対のエレメント通路（５６）を更に備えることを特徴とする請求項１〜１０のいずれか１項に記載のスライドファスナーのスライダーカバー。
【請求項１２】
前記上部材（５１）及び前記下部材（５２）の少なくとも一方には、その左右両側縁に沿って前記ファスナーエレメント列（３１）を案内するフランジがそれぞれ形成されることを特徴とする請求項１１に記載のスライドファスナー用スライダーカバー。
【請求項１３】
前記下部材（５２）の下面には、前記左右一対のエレメント通路（５６）に沿って左右一対の凹溝（５２ｂ）が形成されることを特徴とする請求項１１又は１２に記載のスライドファスナーのスライダーカバー。
【請求項１４】
前記エレメント通路（５６）の軸線（Ｌ１）に対する前記エレメント通路（５６）の入口縁部（５６ａ）の角度（θ）が９０°±２０°に設定されることを特徴とする請求項１１〜１３のいずれか１項に記載のスライドファスナーのスライダーカバー。
【請求項１５】
前記下部材（５２，７２，８２）は、前記連結柱（５３，７３，８３）から幅方向外側に延びる左右一対の第１下板（５２ｃ，７２ｃ，８２ｃ）と、前記第１下板から延出し、前記第１下板の上面よりも下方に向けて低く形成された上面からなる第２下板（５２ｄ，７２ｄ，８２ｄ）からなり、
前記第１下板の内面と前記第２下板の内面との間には、前記下翼板（２２）の側壁（２２ａ）に接触可能な段差部（５２ｅ，７２ｅ，８２ｅ）が形成されることを特徴とする請求項１０に記載のスライドファスナーのスライダーカバー。
【請求項１６】
前記左右一対の第１下板（７２ｃ）の少なくとも一方は、前記上部材（７１）よりも前方側に延出していることを特徴とする請求項１５に記載のスライドファスナーのスライダーカバー。
【請求項１７】
前記第１下板（７２ｃ）の内面は、その内面の後端部から前方に向けて下り傾斜する傾斜面（７２ｆ）を有することを特徴とする請求項１６に記載のスライドファスナーのスライダーカバー。
【請求項１８】
前記下部材（８２）には、前記スライダー（１０）の前記下翼板（２２）の肩口（２５）側端部から後口（２６）側端部までを収容する凹部（８２ａ）が形成されることを特徴とする請求項１〜９のいずれか１項に記載のスライドファスナーのスライダーカバー。
【請求項１９】
前記スライダーカバー（６０，７０，８０）は、少なくとも前記上部材からなる第１部材（６１，７１，８１）と、少なくとも前記下部材からなる第２部材（６２，７２，８２）とが係合することで形成されており、
前記第１部材及び前記第２部材の少なくとも一方に形成される係合凸部（６３ｂ，７３ａ，８３ａ）と、前記第１部材及び前記第２部材の少なくとも他方に形成される係合凹部（６２ｂ，７７，８７）とにより連結可能であることを特徴とする請求項１〜１８のいずれか１項に記載のスライドファスナーのスライダーカバー。
【請求項２０】
一対のファスナーテープ（３２）と、前記一対のファスナーテープの対向するテープ側縁部にそれぞれ取り付けられる一対のファスナーエレメント列（３１）と、前記一対のファスナーエレメント列に挿通されるスライダー（１０）と、前記スライダーが前記一対のファスナーエレメント列に挿通された状態で、前記スライダーに脱着可能なスライダーカバー（５０，６０，７０，８０）と、を備え、
前記スライダーは、上下方向に離間して並行に配置される上翼板（２１）及び下翼板（２２）と、前記上翼板及び前記下翼板を前端部において連結する案内柱（２３）と、前記上翼板上に設けられる引手取付部（２０ａ）と、を備える胴体（２０）と、前記引手取付部に取り付けられる引手（１１）と、を備え、
前記スライダーカバーは、請求項１〜１９のいずれか１項に記載のスライダーカバーであることを特徴とするスライダーカバー付きスライドファスナー。
【発明の詳細な説明】
【技術分野】
【０００１】
本発明は、スライドファスナーのスライダーカバー及びスライダーカバー付きスライドファスナーに関する。
【背景技術】
【０００２】
一般的なスライドファスナーは、スライダーを摺動させることによって各ファスナーストリンガーのファスナーエレメント列を互いに結合或いは結合を解除させることで、バッグなどの開口部の開閉部材として使用されている。【０００３】
従来では、更に、一般的に使用されているスライダーの形状を一部変えることで、開閉機能以外の機能を付加したスライダーが開示されている。例えば、スライダーの上翼板及び下翼板の肩口側に一体的に延出した側板を設けることで、生地の噛み込みを防止するスライダーが知られている（例えば、特許文献１参照）。【０００４】
また、従来では、スライダーの案内柱に取り付けられる支持部材と、この支持部材に取り付けられるガード部材と、を備え、スライダーの周辺の生地がスライダーに噛み込まれるのを防止するジッパーガードが知られている（例えば、特許文献２参照）。【０００５】
また、従来では、スライダーの胴体の下翼板の差込口側を延長し、上翼板よりも高く張り出した標板によって、蝶棒の誘い込みの補助を行うものが知られている（例えば、特許文献３参照）。【０００６】
また、従来では、金属製のスライダーの胴体の一部に係合部を設け、胴体の下翼板の下面に樹脂カバーを取り付け、下翼板が使用者に冷感を与えてしまうことを防止するものが知られている（例えば、特許文献４参照）。
【先行技術文献】
【特許文献】
【０００７】
【特許文献１】日本国特開２００５−１６０７８５号公報
【特許文献２】米国特許第４８１９３０８号明細書
【特許文献３】日本国実開昭５７−１９４３０９号公報
【特許文献４】米国特許第５００７１４４号明細書
【発明の概要】
【発明が解決しようとする課題】
【０００８】
ところで、上記特許文献１、３に記載のスライダーでは、別機能を有する側板や標板がスライダーの胴体に一体的に形成されているため、汎用性が低かった。また、上記特許文献２、４に記載のジッパーガード付きスライダーや冷感防止機能付きスライダーでは、別途に支持部材を案内柱に取り付けたり、スライダーの胴体の一部に樹脂カバーを取り付けるための係合部を予め加工したりする必要があるため、汎用性が低かった。【０００９】
本発明は、前述した事情に鑑みてなされたものであり、その目的は、スライダーに加工を施すことなく簡単に取り付けることができ、スライダーに別機能を付加することができるスライドファスナーのスライダーカバー及びスライダーカバー付きスライドファスナーを提供することにある。
【課題を解決するための手段】
【００１０】
本発明の上記目的は、下記の構成により達成される。
（１）上下方向に離間して並行に配置される上部材及び下部材と、上部材及び下部材を連結する連結柱と、を備え、上部材は、スライダーの上翼板の少なくとも一部を収容する収容部を有することを特徴とするスライドファスナーのスライダーカバー。
（２）収容部は、上翼板の全周を収容することを特徴とする（１）に記載のスライドファスナーのスライダーカバー。
（３）収容部は、上部材の上下面を貫通した孔部であることを特徴とする（１）又は（２）に記載のスライドファスナーのスライダーカバー。
（４）収容部は、孔部を形成するための内側面を有し、内側面の少なくとも一部は、上翼板の側壁の少なくとも一部と接触するように、上翼板を収納することを特徴とする（３）に記載のスライドファスナーのスライダーカバー。
（５）収容部は、上翼板よりも大きく形成されており、スライダーカバーがスライダーに取り付けられた状態において、収容部の内側面と上翼板の側壁との間に隙間が形成されることを特徴とする（４）に記載のスライドファスナーのスライダーカバー。
（６）スライダーカバーがスライダーに取り付けられた状態において、上部材の上面と上翼板の上面とが同一高さにあることを特徴とする（１）〜（５）のいずれか１つに記載のスライドファスナーのスライダーカバー。
（７）スライダーは、上翼板の上面に設けられる引手取付部と、引手取付部に取り付けられる引手と、を備え、引手取付部及び引手は、上部材よりも上側に配置されることを特徴する（１）〜（５）のいずれか１つに記載のスライドファスナーのスライダーカバー。
（８）上部材の左右両側縁に沿って下方に向けて突設されるカバー側フランジを備えることを特徴とする（１）〜（７）のいずれか１つに記載のスライドファスナーのスライダーカバー。
（９）カバー側フランジの下端縁が、上翼板の左右両側縁に沿って下方に向けて突設されるスライダー側フランジの下端縁よりも下方に配置されることを特徴とする（８）に記載のスライドファスナーのスライダーカバー。
（１０）下部材には、スライダーの下翼板の一部を収容する凹部が形成されることを特徴とする（１）〜（９）のいずれか１つに記載のスライドファスナーのスライダーカバー。
（１１）上部材と下部材との間であって、且つ連結柱の両側に形成され、スライドファスナーのファスナーエレメント列を案内する左右一対のエレメント通路を更に備えることを特徴とする（１）〜（１０）のいずれか１つに記載のスライドファスナーのスライダーカバー。
（１２）上部材及び下部材の少なくとも一方には、その左右両側縁に沿ってファスナーエレメント列を案内するフランジがそれぞれ形成されることを特徴とする（１１）に記載のスライドファスナー用スライダーカバー。
（１３）下部材の下面には、左右一対のエレメント通路に沿って左右一対の凹溝が形成されることを特徴とする（１１）又は（１２）に記載のスライドファスナーのスライダーカバー。
（１４）エレメント通路の軸線に対するエレメント通路の入口縁部の角度が９０°±２０°に設定されることを特徴とする（１１）〜（１３）のいずれか１つに記載のスライドファスナーのスライダーカバー。
（１５）下部材は、連結柱から幅方向外側に延びる左右一対の第１下板と、第１下板から延出し、第１下板の上面よりも下方に向けて低く形成された上面からなる第２下板からなり、第１下板の内面と第２下板の内面との間には、下翼板の側壁に接触可能な段差部が形成されることを特徴とする（１０）に記載のスライドファスナーのスライダーカバー。
（１６）左右一対の第１下板の少なくとも一方は、上部材よりも前方側に延出していることを特徴とする（１５）に記載のスライドファスナーのスライダーカバー。
（１７）第１下板の内面は、その内面の後端部から前方に向けて下り傾斜する傾斜面を有することを特徴とする（１６）に記載のスライドファスナーのスライダーカバー。
（１８）下部材には、スライダーの下翼板の肩口側端部から後口側端部までを収容する凹部が形成されることを特徴とする（１）〜（９）のいずれか１つに記載のスライドファスナーのスライダーカバー。
（１９）スライダーカバーは、少なくとも上部材からなる第１部材と、少なくとも下部材からなる第２部材とが係合することで形成されており、第１部材及び第２部材の少なくとも一方に形成される係合凸部と、第１部材及び第２部材の少なくとも他方に形成される係合凹部とにより連結可能であることを特徴とする（１）〜（１８）のいずれか１つに記載のスライドファスナーのスライダーカバー。
（２０）一対のファスナーテープと、一対のファスナーテープの対向するテープ側縁部にそれぞれ取り付けられる一対のファスナーエレメント列と、一対のファスナーエレメント列に挿通されるスライダーと、スライダーが一対のファスナーエレメント列に挿通された状態で、スライダーに脱着可能なスライダーカバーと、を備え、スライダーは、上下方向に離間して並行に配置される上翼板及び下翼板と、上翼板及び下翼板を前端部において連結する案内柱と、上翼板上に設けられる引手取付部と、を備える胴体と、引手取付部に取り付けられる引手と、を備え、スライダーカバーは、（１）〜（１９）のいずれか１つに記載のスライダーカバーであることを特徴とするスライダーカバー付きスライドファスナー。
【発明の効果】
【００１１】
本発明のスライドファスナーのスライダーカバーによれば、上下方向に離間して並行に配置される上部材及び下部材と、上部材及び下部材を連結する連結柱と、を備え、上部材が、スライダーの上翼板の少なくとも一部を収容する収容部を有するため、スライダーに加工を施すことなく簡単に取り付けることができ、スライダーに別機能を付加することができる。
【図面の簡単な説明】
【００１２】
【図１】本発明に係るスライダーカバーの第１実施形態がスライダーに取り付けられた状態のスライドファスナーの表面図である。
【図２】図１に示すスライダーとスライダーカバーの斜視図である。
【図３】スライダーから取り外された状態のスライダーカバーの斜視図である。
【図４】スライダーカバーの右側面図である。
【図５】スライダーカバーの後面図である。
【図６】スライダーに取り付けられた状態のスライダーカバーの下面図である。
【図７】スライダーに取り付けられた状態のスライダーカバーの図５のＡ−Ａ線断面図である。
【図８】スライダーに取り付けられた状態のスライダーカバーの図４のＢ−Ｂ線断面図である。
【図９】スライダーカバーの上板及び下板の間を広げて、スライダーカバーをスライダーに取り付ける状態を説明する側面図である。
【図１０】図９に示す上板及び下板の間を広げた状態のスライダーカバーの正面図である。
【図１１】第１実施形態のスライダーカバーの第１変形例を説明する縦断面図である。
【図１２】第１実施形態のスライダーカバーの第２変形例を説明する縦断面図である。
【図１３】本発明に係るスライダーカバーの第２実施形態のスライダーに取り付けられた状態を説明する斜視図である。
【図１４】図１３に示すスライダーカバーの分解斜視図である。
【図１５】図１３に示すスライダーカバーの縦断面図である。
【図１６】本発明に係るスライダーカバーの第３実施形態がスライダーに取り付けられた状態のスライドファスナーの表面図である。
【図１７】図１６に示すスライダーカバーの縦断面図である。
【図１８】図１６に示すスライダーカバーの分解斜視図である。
【図１９】図１６に示すスライダーカバーの上面図である。
【図２０】図１７に示すスライダーカバーの分解縦断面図である。
【図２１】第１下板の傾斜面により開離嵌挿具の蝶棒がスライダーのエレメント案内路内に誘い込まれる状態を説明する上面図である。
【図２２】図２１に示す状態を説明する一部切欠左側面図である。
【図２３】本発明に係るスライダーカバーの第４実施形態のスライダーに取り付けられた状態を説明する上面図である。
【図２４】図２３に示すスライダーカバーの縦断面図である。
【図２５】図２３に示すスライダーカバーの分解斜視図である。
【発明を実施するための形態】
【００１３】
以下、本発明に係るスライドファスナーのスライダーカバーの各実施形態について、図面に基づいて詳細に説明する。なお、以後の説明において、スライドファスナーに関しては、表側とは図１の紙面に対して手前側、裏側とは図１の紙面に対して奥側、上側とは図１の紙面に対して上側、下側とは図１の紙面に対して下側、左側とは図１の紙面に対して左側、右側とは図１の紙面に対して右側とする。スライダーとスライダーカバーに関しては、上側とは図１の紙面に対して手前側、下側とは図１の紙面に対して奥側、前側とは図１の紙面に対して上側、後側とは図１の紙面に対して下側、右側とは図１の紙面に対して右側、左側とは図１の紙面に対して左側とする。また、スライドファスナー、スライダー、及びスライダーカバーの左右方向は幅方向ともいう。
【００１４】
（第１実施形態）
まず、図１〜図１２を参照して、本発明に係るスライドファスナーのスライダーカバーの第１実施形態について説明する。
【００１５】
本実施形態のスライダーカバー５０は、図１〜図３に示すスライドファスナー用スライダー１０に脱着可能に取り付けられるものである。好ましくは、スライダーカバー５０は、特にスライダー１０がファスナーエレメント列に挿通された状態で、脱着可能に取り付けられるものである。
【００１６】
このスライダー１０は、自動停止機能付きのスライダーであって、胴体２０と、胴体２０の後述する上翼板２１上の引手取付部２０ａに取り付けられる引手１１と、を備える。また、スライダー１０は、合成樹脂や金属などによって成形されている。
【００１７】
胴体２０は、図３、図７、及び図８に示すように、上下方向に離間して並行に配置される上翼板２１及び下翼板２２と、上翼板２１及び下翼板２２を前端部において連結する案内柱２３と、上翼板２１の左右両側縁に沿って下方に向けて突設される上側フランジ（スライダー側フランジ）２４ａと、下翼板２２の左右両側縁に沿って上方に向けて突設される下側フランジ２４ｂと、を備える。これにより、胴体２０の前部には案内柱２３により分離された左右の肩口２５が形成され、胴体２０の後部には後口２６が形成される。そして、上翼板２１と下翼板２２との間には、左右の肩口２５と後口２６とを連通する略Ｙ字状のエレメント案内路２７が形成され、このエレメント案内路２７は、スライドファスナー３０のファスナーエレメント列３１を挿通させる通路を構成する。
【００１８】
スライドファスナー３０は、左右一対のファスナーテープ３２と、左右一対のファスナーテープ３２の対向するテープ側縁部にそれぞれ取り付けられる左右一対のコイル状のファスナーエレメント列３１と、左右一対のファスナーエレメント列３１に挿通されるスライダー１０と、を備えており、スライダー１０を摺動することにより、左右一対のファスナーエレメント列３１を噛合・分離することが可能である。なお、ファスナーエレメント列は、上記したコイル状のファスナーエレメント列だけではなく、例えば、合成樹脂や金属をファスナーテープのテープ側縁部に直接射出したタイプや、金属エレメントをファスナーテープのテープ側縁部にかしめ固定したタイプであってもよい。
【００１９】
スライダーカバー５０は、図３〜図８に示すように、上下方向に離間して並行に配置される上板（上部材）５１及び下板（下部材）５２と、上板５１及び下板５２を連結する連結柱５３と、を備える。そして、上板５１は、スライダー１０の上翼板２１を収容する収容部５４を有する。また、上板５１、下板５２、及び連結柱５３は一体に成形されている。また、スライダーカバー５０は、エラストマーや合成樹脂により形成されている。また、連結柱５３は、断面円形状に形成されている。
【００２０】
上板５１は、上面と下面を有し、収容部５４は、上板５１の上下面を貫通した上面視楕円形状の孔部であり、上翼板２１の全周を収容するように形成されている。また、収容部５４は、孔部を形成するための内側面５４ａを有し、この内側面５４ａの一部は、上翼板２１の側壁２１ａの一部と接触するように、上翼板２１を収容する。このため、図２に示すように、上翼板２１の側壁２１ａが収容部５４の内側面５４ａにより囲まれ、スライダーカバー５０がスライダー１０に保持される。
【００２１】
また、スライダーカバー５０がスライダー１０に保持された状態において、上板５１の上面と上翼板２１の上面とが略同一高さにある。このため、上翼板２１の上面に設けられる引手取付部２０ａ及び引手取付部２０ａに取り付けられる引手１１は、上板５１よりも上側に配置されており、引手１１は上板５１上で操作可能である。従って、スライダー１０を摺動させる場合、引手１１を操作するだけで、スライダーカバー５０の収容部５４の内側面５４ａが上翼板２１の側壁２１ａに接触するので、スライダー１０の動きに合わせてスライダーカバー５０を移動させることができる。
【００２２】
また、収容部５４は、上翼板２１よりも大きく形成されており、図１に示すように、スライダーカバー５０がスライダー１０に取り付けられた状態において、収容部５４の内側面５４ａと上翼板２１の側壁２１ａとの間に隙間Ｓが形成されている。また、隙間Ｓは、特にスライダー１０の幅方向に大きく形成されているので、スライダー１０をスライダーカバー５０の収容部５４に収納させやすい。
【００２３】
また、スライダーカバー５０は、上板５１の左右両側縁に沿って下方に向けて突設されるカバー側フランジ５５を備える。より具体的に説明すれば、カバー側フランジ５５は、収容部５４の幅方向両側に設けられており、上板５１の下面から下板５２に向けて延出されている。また、カバー側フランジ５５の内側面は、収容部５４の内側面５４ａと同一面であり、カバー側フランジ５５は、上板５１の前端から後端にかけて形成されている。そして、図７に示すように、スライダーカバー５０がスライダー１０に保持された状態において、カバー側フランジ５５の下端縁は、スライダー１０の上側フランジ２４ａの下端縁よりも下方に配置されている。
【００２４】
また、スライダーカバー５０は、上板５１と下板５２との間であって、且つ連結柱５３の両側に形成され、スライドファスナー３０のファスナーエレメント列３１を案内する左右一対のエレメント通路５６を備える。より具体的に説明すれば、エレメント通路５６は、上板５１の下面、下板５２の上面、左右のカバー側フランジ５５、及び連結柱５３の側面によって区画された部分である。また、エレメント通路５６は、スライダーカバー５０がスライダー１０に保持された状態において、スライダー１０のエレメント案内路２７に連続するように形成されている。
【００２５】
そして、図８に示すように、エレメント通路５６の軸線Ｌ１に対するエレメント通路５６の入口縁部５６ａの角度θが９０°±２０°に設定されている。なお、ここで軸線Ｌ１は、カバー側フランジ５５の内側面が延びる方向に沿って延びる延長線として規定される。そして、角度θを９０°±２０°内に設定することによって、生地の噛み込みを低減することができる。なお、角度θを７０°より小さく設定すると、生地がエレメント通路５６内に誘い込まれやすくなり、生地がスライダー１０又はスライダーカバー５０に噛み込まれやすくなる。逆に角度θを１１０°より大きく設定するとスライダーの摺動性が悪くなってしまう。また、図８では、軸線Ｌ１は、右側のエレメント通路５６を基準としているが、左側のエレメント通路５６を基準とする軸線は、軸線Ｌ１と左右対称である。
【００２６】
また、図７に示すように、連結柱５３の後端側には、前後方向における連結柱５３の肉厚が薄くなるように凹部５３ａが形成されており、この凹部５３ａは、上板５１と下板５２の間に形成されている。そして、この凹部５３ａによって、スライダーカバー５０をスライダー１０に取り付ける際に、図９に示すように、上板５１及び下板５２間の隙間を広げやすくすることができる。
【００２７】
また、図５に示すように、下板５２の上面には、スライダー１０の下翼板２２の前部を収容する凹部５２ａが形成されている。また、図６に示すように、下板５２の下面には、左右一対のエレメント通路５６に沿って左右一対の凹溝５２ｂが形成されている。
【００２８】
また、図３、図５、及び図７に示すように、下板５２は、連結柱５３から幅方向外側に延びる左右一対の第１下板５２ｃと、左右一対の第１下板５２ｃから延出し、左右一対の第１下板５２ｃの上面よりも下方に向けて低く形成された上面からなる第２下板５２ｄからなり、第１下板５２ｃの内面と第２下板５２ｄの内面との間には、下翼板２２の側壁２２ａに接触可能な段差部５２ｅが形成されている。
【００２９】
次に、スライダーカバー５０のスライダー１０への取り付け方法としては、図９及び図１０に示すように、スライダーカバー５０の上板５１及び下板５２間の隙間を広げて、この広げた隙間にスライダー１０が入り込むように、スライダー１０の前方からスライダーカバー５０を取り付ける。また、別の取り付け方法としては、スライドファスナー３０の組み立て時において、スライダーカバー５０の収容部５４にスライダー１０を上方から嵌め込んだ後（図２参照）、スライダーカバー５０をスライダー１０と共にスライドファスナー３０に組み付ける。
【００３０】
このように構成されたスライダーカバー５０では、スライダー１０の摺動時において、スライダーカバー５０の上板５１の側面及び下板５２の側面によって、スライダー１０の周辺の生地がスライダーカバー５０の左右に分けられる。これにより、スライダー１０の周辺の生地がスライダー１０のエレメント案内路２７に入り込むことを防止して、スライダー１０による生地の噛み込みが防止される。
【００３１】
以上説明したように、本実施形態のスライダーカバー５０によれば、上下方向に離間して並行に配置される上板５１及び下板５２と、上板５１及び下板５２を連結する連結柱５３と、を備え、上板５１が、スライダー１０の上翼板２１を収容する収容部５４を有するため、スライダーカバー５０をスライダー１０に加工を施すことなく簡単に取り付けることができ、スライダー１０の周辺の生地がスライダー１０に噛み込まれるのを防止することができる。
【００３２】
また、本実施形態のスライダーカバー５０によれば、スライダーカバー５０のカバー側フランジ５５の下端縁が、スライダー１０の上側フランジ２４ａの下端縁よりも下方に配置されるため、スライダー１０の上側及び下側フランジ２４ａ，２４ｂ間の隙間を狭くして、スライダー１０の周辺の生地がスライダー１０に噛み込まれるのを更に防止することができる。
【００３３】
また、本実施形態のスライダーカバー５０によれば、下板５２の上面に、スライダー１０の下翼板２２の前部を収容する凹部５２ａが形成されるため、スライダー１０の保持をより確実に行うことができる。また、凹部５２ａにより下板５２の板厚が減少されるので、スライダーカバー５０をスライダー１０に取り付ける際において、下板５２を容易に変形することができ、スライダーカバー５０をスライダー１０に更に簡単に取り付けることができる。
【００３４】
また、本実施形態のスライダーカバー５０によれば、下板５２の下面に、左右一対の凹溝５２ｂが形成されるため、下板５２の板厚が減少される。これにより、スライダーカバー５０をスライダー１０に取り付ける際において、下板５２を容易に変形することができ、スライダーカバー５０をスライダー１０に更に簡単に取り付けることができる。
【００３５】
また、本実施形態のスライダーカバー５０によれば、エレメント通路５６の軸線Ｌ１に対するエレメント通路５６の入口縁部５６ａの角度θが９０°±２０°に設定されるため、エレメント通路５６の入口を必要最低限の広さにすることができる。これにより、スライダー１０の周辺の生地がエレメント通路５６に入り込み難くなるので、スライダー１０による生地の噛み込みを更に防止することができる。
【００３６】
なお、本実施形態の第１変形例として、図１１に示すように、スライダーカバー５０の連結柱５３を上下に２分割して、スライダーカバー５０をスライダー１０に取り付ける際に、上下の連結柱５３を接着や溶着などにより結合するようにしてもよい。この場合、スライダーカバー５０が硬質の合成樹脂製であったとしても、組み立て後のスライドファスナー３０のスライダー１０にスライダーカバー５０を容易に取り付けることが可能となる。また、本変形例では、分割された上側の連結柱５３の下面に凹部５３ａが形成され、分割された下側の連結柱５３の上面に凹部５３ａに嵌合する凸部５３ｂが形成される。なお、凹部５３ａ及び凸部５３ｂは上下逆であってもよい。また、上下の連結柱５３を結合する方法としては、上記した接着や溶着以外にも、例えば、後述する第２〜第４実施形態に示すように、一方に係合凸部と設けると共に他方に係合凹部を設けて、それらをスナップ係合するようにしてもよい。
【００３７】
なお、本実施形態の第２変形例として、図１２に示すように、上板５１の収容部５４に加えて、下板５２を後方に延ばし、下板５２に、スライダー１０の下翼板２２を収容する収容部５７を形成してもよい。この収容部５７は、上記収容部５４と同様に、上面視楕円形状であり、下翼板２２の全周を収容するように形成されている。本変形例によれば、上板５１及び下板５２に収容部５４，５７がそれぞれ形成されるため、スライダー１０の保持をより確実に行うことができる。
【００３８】
なお、本実施形態のスライダーカバー５０は、上翼板２１にフランジ２４ａが形成されたスライダー１０以外にも使用することができる。例えば、ファスナーエレメント列がファスナーテープの裏面に取り付けられるタイプのスライドファスナーのスライダー、即ち、下翼板にフランジが形成されるスライダーにも使用することができる。この場合、スライダーカバー５０に形成されるカバー側フランジ５５は、上板５１には形成されず、下板５２に形成される。即ち、エレメント通路５６は、上板５１の下面、下板５２の上面、下板５２から延出する左右のカバー側フランジ５５、及び連結柱５３の側面によって区画された部分となる。
【００３９】
（第２実施形態）
次に、図１３〜図１５を参照して、本発明に係るスライドファスナーのスライダーカバーの第２実施形態について説明する。なお、第１実施形態と同一又は同等部分については、図面に同一符号を付してその説明を省略或いは簡略化する。
【００４０】
本実施形態のスライダーカバー６０は、図１３〜図１５に示すように、上下方向に離間して並行に配置される上板（上部材、第１部材）６１及び下板（下部材、第２部材）６２と、上板６１及び下板６２を連結する連結柱６３と、を備える。そして、上板６１は、スライダー１０の上翼板２１を収容する収容部６４を有する。また、連結柱６３は、上板６１の前端部から下方に延び、下板６２と連結するように形成されている。また、スライダーカバー６０は、エラストマーや合成樹脂により形成されている。なお、本実施形態のスライダー１０は、自動停止機能のないスライダーである。
【００４１】
上板６１は、上面と下面を有し、収容部６４は、上板６１の上下面を貫通した孔部であり、上翼板２１の全周を収容するように形成されている。また、収容部６４は、孔部を形成するための内側面６４ａを有し、この内側面６４ａは、上翼板２１の側壁２１ａの全周と接触するように、上翼板２１を収容する。このため、図１３及び図１５に示すように、上翼板２１の側壁２１ａの全周が収容部６４の内側面６４ａにより囲まれ、スライダーカバー６０がスライダー１０に保持される。
【００４２】
また、スライダーカバー６０がスライダー１０に保持された状態において、上板６１の上面と上翼板２１の上面とが略同一高さにある。このため、上翼板２１の上面に設けられる引手取付部２０ａ及び引手取付部２０ａに取り付けられる引手１１は、上板６１よりも上側に配置されており、引手１１は上板６１上で操作可能である。従って、スライダー１０を摺動させる場合、引手１１を操作するだけで、スライダーカバー６０の収容部６４の内側面６４ａが上翼板２１の側壁２１ａに接触するので、スライダー１０の動きに合わせてスライダーカバー６０を移動させることができる。
【００４３】
また、収容部６４の前端部には、スライダー１０の上翼板２１の上面に接触する左右一対の板部６１ａが上板６１と一体に形成されている。そして、この左右一対の板部６１ａ間には、スライダー１０の引手取付部２０ａの基部を嵌合させる凹部６１ｂが形成されている。
【００４４】
下板６２は、略舟状に形成されるものであり、その上面には、スライダー１０の下翼板２２を収容する凹部６２ａが形成されている。また、下板６２には、連結柱６３を連結させる上面視略長方形状の連結穴（係合凹部）６２ｂが形成されている。
【００４５】
連結柱６３は、下板６２の連結穴６２ｂに挿入可能な断面略長方形状に形成されている。そして、図１５に示すように、連結柱６３の下端前部には、下板６２の連結穴６２ｂに挿入され、上板６１及び下板６２の相対回転を規制する規制部６３ａが形成されている。また、連結柱６３の下端後部には、下板６２の連結穴６２ｂに挿入され、下板６２の連結穴６２ｂにスナップ係合する係合部（係合凸部）６３ｂが形成されている。
【００４６】
また、下板６２の下面には、規制部６３ａ及び係合部６３ｂを収容する収容凹部６２ｃが形成されている。そして、この収容凹部６２ｃにより、規制部６３ａ及び係合部６３ｂは、下板６２の下面よりも下方に突出しないようになっている。
【００４７】
また、スライダーカバー６０は、上板６１の左右両側縁に沿って下方に向けて突設されるカバー側フランジ６５を備える。そして、図１５に示すように、カバー側フランジ６５の下端縁は、スライダー１０の上側フランジ２４ａの下端縁よりも下方に配置されている。
【００４８】
次に、スライダーカバー６０のスライダー１０への取り付け方法としては、図１４に示すように、スライダー１０を挟んで上板６１及び下板６２を上下に配置した後、上板６１の連結柱６３を下板６２の連結穴６２ｂに挿入し、連結柱６３の係合部６３ｂを連結穴６２ｂにスナップ係合させることによって、スライダー１０にスライダーカバー６０を取り付ける。
【００４９】
このように構成されたスライダーカバー６０では、スライダー１０の摺動時において、スライダーカバー６０の上板６１の側面及び下板６２の側面によって、スライダー１０の周辺の生地がスライダーカバー６０の左右に分けられる。これにより、スライダー１０の周辺の生地がスライダー１０のエレメント案内路２７に入り込むことを防止して、スライダー１０による生地の噛み込みが防止される。
【００５０】
以上説明したように、本実施形態のスライダーカバー６０によれば、上下方向に離間して並行に配置される上板６１及び下板６２と、上板６１及び下板６２を連結する連結柱６３と、を備え、上板６１が、スライダー１０の上翼板２１を収容する収容部６４を有するため、スライダーカバー６０をスライダー１０に加工を施すことなく簡単に取り付けることができ、スライダー１０の周辺の生地がスライダー１０に噛み込まれるのを防止することができる。
【００５１】
また、本実施形態のスライダーカバー６０によれば、スライダーカバー６０のカバー側フランジ６５の下端縁が、スライダー１０の上側フランジ２４ａの下端縁よりも下方に配置されるため、スライダー１０の上側及び下側フランジ２４ａ，２４ｂ間の隙間を狭くして、スライダー１０の周辺の生地がスライダー１０に噛み込まれるのを更に防止することができる。
その他の構成及び作用効果については、上記第１実施形態と同様である。
【００５２】
以上、第１実施形態及び第２実施形態として、スライダー１０に別機能を付与するために、生地の噛み込みを防止する機能を備えたスライダーカバー５０について説明した。なお、第２実施形態は、噛み込み防止機能だけではなく、後述する冷感防止機能も備える。特にスライダー１０が金属製で、スライドファスナーを衣服の前立て等に使用した場合、金属製のスライダー１０の裏面が人の肌にあたることによって使用者が冷感を感じてしまうことがあった。しかし、スライダーカバー５０が、スライダー１０の案内柱２３や下翼板２２の一部又は全てを覆うようにスライダー１０に取り付けられることによって、スライダー１０の金属部分が人の肌に直接触れてしまうのを防止することができる。
【００５３】
（第３実施形態）
次に、図１６〜図２２を参照して、本発明に係るスライドファスナーのスライダーカバーの第３実施形態について説明する。なお、第１実施形態と同一又は同等部分については、図面に同一符号を付してその説明を省略或いは簡略化する。
【００５４】
本実施形態のスライダーカバー７０は、図１６〜図１９に示すように、上下方向に離間して並行に配置される上板（上部材、第１部材）７１及び下板（下部材、第２部材）７２と、上板７１及び下板７２を連結する連結柱７３と、を備える。そして、上板７１は、スライダー１０の上翼板２１を収容する収容部７４を有する。また、連結柱７３は、上板７１の前端部から下方に延び、下板７２と連結するように形成されている。また、スライダーカバー７０は、エラストマーや合成樹脂により形成されている。
【００５５】
なお、スライダーカバー７０は、図１６に示すような開離嵌挿具付きスライドファスナー３０Ａに使用される。このスライドファスナー３０Ａの開離嵌挿具３４は、一方のファスナーエレメント列３１の端部に取り付けられる箱棒３４ａ及び箱体３４ｂと、他方のファスナーエレメント列３１の端部に取り付けられる蝶棒３４ｃと、を備える。そして、蝶棒３４ｃは箱体３４ｂに挿入可能であり、蝶棒３４ｃを箱体３４ｂに挿入状態でスライダー１０を引き上げることによって、左右のファスナーエレメント列３１が互いに噛合する。また、左右のファスナーテープ３２の開離嵌挿具３４の両側には、補強フィルム３３が固着されている。
【００５６】
上板７１は、上面と下面を有し、収容部７４は、上板７１の上下面を貫通した上面視楕円形状の孔部であり、上翼板２１の全周を収容するように形成されている。また、収容部７４は、孔部を形成するための内側面７４ａを有し、この内側面７４ａの一部は、上翼板２１の側壁２１ａの一部と接触するように、上翼板２１を収容する。このため、図１６に示すように、上翼板２１の側壁２１ａが収容部７４の内側面７４ａにより囲まれ、スライダーカバー７０がスライダー１０に保持される。
【００５７】
また、スライダーカバー７０がスライダー１０に保持された状態において、上板７１の上面と上翼板２１の上面とが略同一高さにある。このため、上翼板２１の上面に設けられる引手取付部２０ａ及び引手取付部２０ａに取り付けられる引手１１は、上板７１よりも上側に配置されており、引手１１は上板７１上で操作可能である。従って、スライダー１０を摺動させる場合、引手１１を操作するだけで、スライダーカバー７０の収容部７４の内側面７４ａが上翼板２１の側壁２１ａに接触するので、スライダー１０の動きに合わせてスライダーカバー７０を移動させることができる。
【００５８】
また、収容部７４は、上翼板２１よりも大きく形成されており、図１６に示すように、スライダーカバー７０がスライダー１０に取り付けられた状態において、収容部７４の内側面７４ａと上翼板２１の側壁２１ａとの間に隙間Ｓが形成されている。また、隙間Ｓは、特にスライダー１０の幅方向に大きく形成されているので、スライダー１０をスライダーカバー７０の収容部７４に収納させやすい。
【００５９】
また、スライダーカバー７０は、図１８及び図１９に示すように、上板７１の前部に連結柱５３を挟んで左右に形成される左右一対の切欠部７１ａと、上板７１の左右両側縁に沿って下方に向けて突設されるカバー側フランジ７５と、を備える。より具体的に説明すれば、カバー側フランジ７５は、収容部７４の幅方向両側に設けられており、上板７１の下面から下板７２に向けて延出されている。また、カバー側フランジ７５の内側面は、収容部７４の内側面７４ａと同一面であり、カバー側フランジ７５は、上板７１の前端から後端にかけて形成されている。
【００６０】
また、図１８に示すように、下板７２の上面には、スライダー１０の下翼板２２の一部を収容する凹部７２ａが形成されている。また、下板７２の前端部には、連結柱７３を連結させる連結穴（係合凹部）７７を有する連結部７６が形成されている。
【００６１】
また、図１８に示すように、下板７２は、連結柱７３から幅方向外側に延びる左右一対の第１下板７２ｃと、左右一対の第１下板７２ｃから延出し、左右一対の第１下板７２ｃの上面よりも下方に向けて低く形成された上面からなる第２下板７２ｄからなり、第１下板７２ｃの内面と第２下板７２ｄの内面との間には、下翼板２２の側壁２２ａに接触可能な段差部７２ｅが形成されている。
【００６２】
また、図１９に示すように、左右一対の第１下板７２ｃは、上板７１よりも前方側にそれぞれ延出するように形成されている。即ち、第１下板７２ｃの前端は、上板７１の前端よりも前方側に位置している。さらに、図１８に示すように、左右一対の第１下板７２ｃの内面は、その内面の後端部から前方に向けて下り傾斜する傾斜面７２ｆを有する。
【００６３】
連結柱７３は、断面略楕円形状であり、図１７及び図１８に示すように、連結柱７３の下端には、連結部７６の連結穴７７に挿入され、連結穴７７内の前後の係合突起７７ａとそれぞれスナップ係合する前後一対の係合部（係合凸部）７３ａが形成されている。
【００６４】
次に、スライダーカバー７０のスライダー１０への取り付け方法としては、図２０に示すように、スライダー１０を挟んで上板７１及び下板７２を上下に配置した後、上板７１の連結柱７３の係合部７３ａを下板７２の連結穴７７の係合突起７７ａにスナップ係合させることによって、スライダー１０にスライダーカバー７０を取り付ける。
【００６５】
ここで、スライダーカバー７０のスライダー１０への取り付けは、一対のファスナーエレメント列３１にスライダー１０を挿通する前でもよいが、好ましくは、一対のファスナーエレメント列３１にスライダー１０を挿通した後、更に好ましくは、スライドファスナー３０Ａを洋服などの被着体に取り付けた後である。これにより、スライダーカバー７０がスライダー挿通時又は被着体への取り付け時の邪魔とはならない。なお、この効果は、本発明の全ての実施形態についても同じことが言える。
【００６６】
このように構成されたスライダーカバー７０では、図２１及び図２２に示すように、開離嵌挿具３４の蝶棒３４ｃを箱体３４ｂに挿入する時において、スライダーカバー７０の下板７２の左側の第１下板７２ｃの傾斜面７２ｆによって、蝶棒３４ｃがスライダー１０のエレメント案内路２７内に誘い込まれる。これにより、開離嵌挿具３４の蝶棒３４ｃが箱体３４ｂに容易に挿入される。
【００６７】
ここで、第１下板７２ｃの上板７１よりも前方側に延出した部分の配色を、スライドファスナー３０Ａや、延出した第１下板７２ｃ以外のスライダーカバー７０の配色と異なる色、好ましくは蛍光色などのより鮮やかな色にしてもよい。これにより、高齢者や目の不自由な方でも、容易に蝶棒３４ｃをスライダー１０のエレメント案内路２７内に誘い込ませることができる。
【００６８】
以上説明したように、本実施形態のスライダーカバー７０によれば、上下方向に離間して並行に配置される上板７１及び下板７２と、上板７１及び下板７２を連結する連結柱７３と、を備え、上板７１が、スライダー１０の上翼板２１を収容する収容部７４を有するため、スライダーカバー７０をスライダー１０に加工を施すことなく簡単に取り付けることができ、開離嵌挿具３４の蝶棒３４ｃを箱体３４ｂに容易に挿入することができる。
【００６９】
なお、本実施形態では、下板７２に左右一対の第１下板７２ｃを設けたが、これに限定されず、蝶棒３４ｃが挿入される側が決まっているのであれば、第１下板７２ｃは、左右どちらか一方であってもよい。
その他の構成及び作用効果については、上記第１実施形態と同様である。
【００７０】
以上、第３実施形態として、スライダー１０に別機能を付与するために、蝶棒の誘い込み機能を備えたスライダーカバー７０について説明した。なお、第３実施形態は、第１実施形態と同様に、蝶棒の誘い込み機能だけではなく、後述する冷感防止機能も備える。
【００７１】
（第４実施形態）
次に、図２３〜図２５を参照して、本発明に係るスライドファスナーのスライダーカバーの第４実施形態について説明する。なお、第１実施形態と同一又は同等部分については、図面に同一符号を付してその説明を省略或いは簡略化する。
【００７２】
本実施形態のスライダーカバー８０は、図２３〜図２５に示すように、上下方向に離間して並行に配置される上板（上部材、第１部材）８１及び下板（下部材、第２部材）８２と、上板８１及び下板８２を連結する連結柱８３と、を備える。そして、上板８１は、スライダー１０の上翼板２１を収容する収容部８４を有する。また、連結柱８３は、上板８１の前端部から下方に延び、下板８２と連結するように形成されている。また、スライダーカバー８０は、エラストマーや合成樹脂により形成されている。また、本実施形態では、スライダー１０は金属製である。
【００７３】
上板８１は、上面と下面を有し、収容部８４は、上板８１の上下面を貫通した上面視楕円形状の孔部であり、上翼板２１の全周を収容するように形成されている。また、収容部８４は、孔部を形成するための内側面８４ａを有し、この内側面８４ａの一部は、上翼板２１の側壁２１ａの一部と接触するように、上翼板２１を収容する。このため、図２３に示すように、上翼板２１の側壁２１ａが収容部８４の内側面８４ａにより囲まれ、スライダーカバー８０がスライダー１０に保持される。
【００７４】
また、スライダーカバー８０がスライダー１０に保持された状態において、上板８１の上面と上翼板２１の上面とが略同一高さにある。このため、上翼板２１の上面に設けられる引手取付部２０ａ及び引手取付部２０ａに取り付けられる引手１１は、上板８１よりも上側に配置されており、引手１１は上板８１上で操作可能である。従って、スライダー１０を摺動させる場合、引手１１を操作するだけで、スライダーカバー８０の収容部８４の内側面８４ａが上翼板２１の側壁２１ａに接触するので、スライダー１０の動きに合わせてスライダーカバー８０を移動させることができる。
【００７５】
また、収容部８４は、上翼板２１よりも大きく形成されており、図２３に示すように、スライダーカバー８０がスライダー１０に取り付けられた状態において、収容部８４の内側面８４ａと上翼板２１の側壁２１ａとの間に隙間Ｓが形成されている。また、隙間Ｓは、特にスライダー１０の幅方向に大きく形成されているので、スライダー１０をスライダーカバー８０の収容部８４に収納させやすい。
【００７６】
また、スライダーカバー８０は、図２５に示すように、上板８１の左右両側縁に沿って下方に向けて突設されるカバー側フランジ８５を備える。より具体的に説明すれば、カバー側フランジ８５は、収容部８４の幅方向両側に設けられており、上板８１の下面から下板８２に向けて延出されている。また、カバー側フランジ８５の内側面は、収容部８４の内側面８４ａと同一面であり、カバー側フランジ８５は、上板８１の前端から後端にかけて形成されている。
【００７７】
また、図２４及び図２５に示すように、下板８２の上面には、スライダー１０の下翼板２２の肩口２５側端部から後口２６側端部までを収容する凹部８２ａが形成されている。これにより、スライダー１０の下翼板２２の下面は下板８２により覆われる。また、下板８２の前端部には、連結柱８３を連結させる連結穴（係合凹部）８７を有する連結部８６が形成されている。
【００７８】
また、図２５に示すように、下板８２は、連結柱８３から幅方向外側に延びる左右一対の第１下板８２ｃと、左右一対の第１下板８２ｃから延出し、左右一対の第１下板８２ｃの上面よりも下方に向けて低く形成された上面からなる第２下板８２ｄからなり、第１下板８２ｃの内面と第２下板８２ｄの内面との間には、下翼板２２の側壁２２ａに接触可能な段差部８２ｅが形成されている。
【００７９】
連結柱８３は、断面略楕円形状であり、図２４及び図２５に示すように、連結柱８３の下端には、連結部８６の連結穴８７に挿入され、連結穴８７内の前後の係合突起８７ａとそれぞれスナップ係合する前後一対の係合部（係合凸部）８３ａが形成されている。
【００８０】
次に、スライダーカバー８０のスライダー１０への取り付け方法としては、スライダー１０を挟んで上板８１及び下板８２を上下に配置した後、上板８１の連結柱８３の係合部８３ａを下板８２の連結穴８７の係合突起８７ａにスナップ係合させることによって、スライダー１０にスライダーカバー８０を取り付ける。
【００８１】
このように構成されたスライダーカバー８０では、スライダー１０の下翼板２２の下面が合成樹脂製のスライダーカバー８０の下板８２で覆われているので、下翼板２２が使用者に接触することがなく、使用者に下翼板２２による冷感を与えてしまうことが防止される。なお、冷感を与えてしまうことを防止する機能とすれば、必ずしも下翼板２２の全てを下板８２で覆う必要はなく、例えば、第１実施形態及び第３実施形態に説明したように、下翼板２２の少なくとも一部を覆っていてもよい。そして、下翼板２２の少なくとも一部が覆われていれば、スライダー１０が使用者の肌に直接触れる可能性が低減される。
【００８２】
以上説明したように、本実施形態のスライダーカバー８０によれば、上下方向に離間して並行に配置される上板８１及び下板８２と、上板８１及び下板８２を連結する連結柱８３と、を備え、上板８１が、スライダー１０の上翼板２１を収容する収容部８４を有するため、スライダーカバー８０をスライダー１０に加工を施すことなく簡単に取り付けることができ、下翼板２２が使用者に冷感を与えてしまうのを防止することができる。
【００８３】
なお、本実施形態では、下翼板２２の下面の全面をスライダーカバー８０の下板８２で覆っているが、これに限定されず、下翼板２２が使用者に接触しないように、下板８２に下方に突出する突部を設けるようにしてもよく、この場合、下翼板２２の下面の全面を下板８２で覆わなくてもよい。
その他の構成及び作用効果については、上記第１実施形態と同様である。
【００８４】
以上、第３実施形態として、スライダー１０に別機能を付与するために、冷感防止機能を備えたスライダーカバー８０について説明した。
【００８５】
以上、上記第１〜第４実施形態で使用されるスライダーは、特別な機能を付加していないスライダーであるにもかかわらず、本発明であるスライダーカバーを使用することで、様々な機能を有するスライドファスナーを提供することができる。このため、従来のように機能ごとにスライダーの在庫を管理する必要性がなく、汎用性の高いスライドファスナーを提供することができる。
【００８６】
なお、本発明は上記各実施形態に例示したものに限定されるものではなく、本発明の要旨を逸脱しない範囲において適宜変更可能である。
【符号の説明】
【００８７】
１０    スライドファスナー用スライダー
１１    引手
２０    胴体
２０ａ  引手取付部
２１    上翼板
２１ａ  側壁
２２    下翼板
２２ａ  側壁
２３    案内柱
２４ａ  上側フランジ（スライダー側フランジ）
２５    肩口
２６    後口
３０    スライドファスナー
３１    ファスナーエレメント列
３２    ファスナーテープ
５０，６０，７０，８０    スライダーカバー
５１，６１，７１，８１    上板（上部材）
５２，６２，７２，８２    下板（下部材）
５２ａ，６２ａ，７２ａ，８２ａ    凹部
５２ｂ  凹溝
５２ｃ，７２ｃ，８２ｃ    第１下板
５２ｄ，７２ｄ，８２ｄ    第２下板
５２ｅ，７２ｅ，８２ｅ    段差部
５３，６３，７３，８３    連結柱
５４，６４，７４，８４    収容部
５４ａ，６４ａ，７４ａ，８４ａ    内側面
Ｓ    隙間
５５，６５，７５，８５    カバー側フランジ
５６    エレメント通路
５６ａ  入口縁部
Ｌ１    エレメント通路の軸線
θ    角度
６３ｂ，７３ａ，８３ａ    係合部（係合凸部）
６２ｂ，７７，８７    連結穴（係合凹部）
７２ｆ  傾斜面
【図１】
2014033926.tif 000003
【図２】
2014033926.tif 000004
【図３】
2014033926.tif 000005
【図４】
2014033926.tif 000006
【図５】
2014033926.tif 000007
【図６】
2014033926.tif 000008
【図７】
2014033926.tif 000009
【図８】
2014033926.tif 000010
【図９】
2014033926.tif 000011
【図１０】
2014033926.tif 000012
【図１１】
2014033926.tif 000013
【図１２】
2014033926.tif 000014
【図１３】
2014033926.tif 000015
【図１４】
2014033926.tif 000016
【図１５】
2014033926.tif 000017
【図１６】
2014033926.tif 000018
【図１７】
2014033926.tif 000019
【図１８】
2014033926.tif 000020
【図１９】
2014033926.tif 000021
【図２０】
2014033926.tif 000022
【図２１】
2014033926.tif 000023
【図２２】
2014033926.tif 000024
【図２３】
2014033926.tif 000025
【図２４】
2014033926.tif 000026
【図２５】
2014033926.tif 000027
【手続補正書】
【提出日】平成27年2月23日(2015.2.23)
【手続補正１】
【補正対象書類名】特許請求の範囲
【補正対象項目名】請求項１２
【補正方法】変更
【補正の内容】
【請求項１２】
前記上部材（５１）及び前記下部材（５２）の少なくとも一方には、その左右両側縁に沿って前記ファスナーエレメント列（３１）を案内するフランジがそれぞれ形成されることを特徴とする請求項１１に記載のスライドファスナーのスライダーカバー。
【手続補正２】
【補正対象書類名】明細書
【補正対象項目名】００１０
【補正方法】変更
【補正の内容】
【００１０】
本発明の上記目的は、下記の構成により達成される。
（１）上下方向に離間して並行に配置される上部材及び下部材と、上部材及び下部材を連結する連結柱と、を備え、上部材は、スライダーの上翼板の少なくとも一部を収容する収容部を有することを特徴とするスライドファスナーのスライダーカバー。
（２）収容部は、上翼板の全周を収容することを特徴とする（１）に記載のスライドファスナーのスライダーカバー。
（３）収容部は、上部材の上下面を貫通した孔部であることを特徴とする（１）又は（２）に記載のスライドファスナーのスライダーカバー。
（４）収容部は、孔部を形成するための内側面を有し、内側面の少なくとも一部は、上翼板の側壁の少なくとも一部と接触するように、上翼板を収納することを特徴とする（３）に記載のスライドファスナーのスライダーカバー。
（５）収容部は、上翼板よりも大きく形成されており、スライダーカバーがスライダーに取り付けられた状態において、収容部の内側面と上翼板の側壁との間に隙間が形成されることを特徴とする（４）に記載のスライドファスナーのスライダーカバー。
（６）スライダーカバーがスライダーに取り付けられた状態において、上部材の上面と上翼板の上面とが同一高さにあることを特徴とする（１）〜（５）のいずれか１つに記載のスライドファスナーのスライダーカバー。
（７）スライダーは、上翼板の上面に設けられる引手取付部と、引手取付部に取り付けられる引手と、を備え、引手取付部及び引手は、上部材よりも上側に配置されることを特徴する（１）〜（５）のいずれか１つに記載のスライドファスナーのスライダーカバー。
（８）上部材の左右両側縁に沿って下方に向けて突設されるカバー側フランジを備えることを特徴とする（１）〜（７）のいずれか１つに記載のスライドファスナーのスライダーカバー。
（９）カバー側フランジの下端縁が、上翼板の左右両側縁に沿って下方に向けて突設されるスライダー側フランジの下端縁よりも下方に配置されることを特徴とする（８）に記載のスライドファスナーのスライダーカバー。
（１０）下部材には、スライダーの下翼板の一部を収容する凹部が形成されることを特徴とする（１）〜（９）のいずれか１つに記載のスライドファスナーのスライダーカバー。
（１１）上部材と下部材との間であって、且つ連結柱の両側に形成され、スライドファスナーのファスナーエレメント列を案内する左右一対のエレメント通路を更に備えることを特徴とする（１）〜（１０）のいずれか１つに記載のスライドファスナーのスライダーカバー。
（１２）上部材及び下部材の少なくとも一方には、その左右両側縁に沿ってファスナーエレメント列を案内するフランジがそれぞれ形成されることを特徴とする（１１）に記載のスライドファスナーのスライダーカバー。
（１３）下部材の下面には、左右一対のエレメント通路に沿って左右一対の凹溝が形成されることを特徴とする（１１）又は（１２）に記載のスライドファスナーのスライダーカバー。
（１４）エレメント通路の軸線に対するエレメント通路の入口縁部の角度が９０°±２０°に設定されることを特徴とする（１１）〜（１３）のいずれか１つに記載のスライドファスナーのスライダーカバー。
（１５）下部材は、連結柱から幅方向外側に延びる左右一対の第１下板と、第１下板から延出し、第１下板の上面よりも下方に向けて低く形成された上面からなる第２下板からなり、第１下板の内面と第２下板の内面との間には、下翼板の側壁に接触可能な段差部が形成されることを特徴とする（１０）に記載のスライドファスナーのスライダーカバー。
（１６）左右一対の第１下板の少なくとも一方は、上部材よりも前方側に延出していることを特徴とする（１５）に記載のスライドファスナーのスライダーカバー。
（１７）第１下板の内面は、その内面の後端部から前方に向けて下り傾斜する傾斜面を有することを特徴とする（１６）に記載のスライドファスナーのスライダーカバー。
（１８）下部材には、スライダーの下翼板の肩口側端部から後口側端部までを収容する凹部が形成されることを特徴とする（１）〜（９）のいずれか１つに記載のスライドファスナーのスライダーカバー。
（１９）スライダーカバーは、少なくとも上部材からなる第１部材と、少なくとも下部材からなる第２部材とが係合することで形成されており、第１部材及び第２部材の少なくとも一方に形成される係合凸部と、第１部材及び第２部材の少なくとも他方に形成される係合凹部とにより連結可能であることを特徴とする（１）〜（１８）のいずれか１つに記載のスライドファスナーのスライダーカバー。
（２０）一対のファスナーテープと、一対のファスナーテープの対向するテープ側縁部にそれぞれ取り付けられる一対のファスナーエレメント列と、一対のファスナーエレメント列に挿通されるスライダーと、スライダーが一対のファスナーエレメント列に挿通された状態で、スライダーに脱着可能なスライダーカバーと、を備え、スライダーは、上下方向に離間して並行に配置される上翼板及び下翼板と、上翼板及び下翼板を前端部において連結する案内柱と、上翼板上に設けられる引手取付部と、を備える胴体と、引手取付部に取り付けられる引手と、を備え、スライダーカバーは、（１）〜（１９）のいずれか１つに記載のスライダーカバーであることを特徴とするスライダーカバー付きスライドファスナー。
【手続補正書】
【提出日】平成28年5月27日(2016.5.27)
【手続補正１】
【補正対象書類名】特許請求の範囲
【補正対象項目名】全文
【補正方法】変更
【補正の内容】
【特許請求の範囲】
【請求項１】
上下方向に離間して並行に配置される上部材（５１，６１，７１，８１）及び下部材（５２，６２，７２，８２）と、
前記上部材及び前記下部材を連結する連結柱（５３，６３，７３，８３）と、を備え、
前記上部材は、スライダー（１０）の上翼板（２１）の少なくとも一部を収容する収容部（５４，６４，７４，８４）を有し、
前記収容部は、前記上部材の上下面を貫通した孔部であり、
前記収容部は、前記孔部を形成するための内側面（５４ａ，６４ａ，７４ａ，８４ａ）を有し、
前記内側面の少なくとも一部は、前記上翼板の側壁（２１ａ）の少なくとも一部と接触するように、前記上翼板を収納し、
前記収納部の幅方向両側に、カバー側フランジ（５５，６５，７５，８５）が設けられ、
前記カバー側フランジは、前記上部材の幅方向両側縁に沿って下方に向けて突出することを特徴とするスライドファスナーのスライダーカバー。
【請求項２】
前記収容部（５４，６４，７４，８４）は、前記上翼板（２１）の全周を収容することを特徴とする請求項１に記載のスライドファスナーのスライダーカバー。
【請求項３】
前記収容部（５４，７４，８４）は、前記上翼板（２１）よりも大きく形成されており、
前記スライダーカバー（５０，７０，８０）が前記スライダー（１０）に取り付けられた状態において、前記収容部の前記内側面（５４ａ，７４ａ，８４ａ）と前記上翼板の前記側壁（２１ａ）との間に隙間（Ｓ）が形成されることを特徴とする請求項１に記載のスライドファスナーのスライダーカバー。
【請求項４】
前記スライダーカバー（５０，６０，７０，８０）が前記スライダー（１０）に取り付けられた状態において、前記上部材（５１，６１，７１，８１）の上面と前記上翼板（２１）の上面とが同一高さにあることを特徴とする請求項１〜３のいずれか１項に記載のスライドファスナーのスライダーカバー。
【請求項５】
前記スライダー（１０）は、前記上翼板（２１）の上面に設けられる引手取付部（２０ａ）と、前記引手取付部（２０ａ）に取り付けられる引手（１１）と、を備え、
前記引手取付部（２０ａ）及び前記引手（１１）は、前記上部材（５１，６１，７１，８１）よりも上側に配置されることを特徴する請求項１〜３のいずれか１項に記載のスライドファスナーのスライダーカバー。
【請求項６】
前記カバー側フランジ（５５，６５）の下端縁が、前記上翼板（２１）の左右両側縁に沿って下方に向けて突設されるスライダー側フランジ（２４ａ）の下端縁よりも下方に配置されることを特徴とする請求項１〜５のいずれか１項に記載のスライドファスナーのスライダーカバー。
【請求項７】
前記下部材（５２，６２，７２）には、前記スライダー（１０）の下翼板（２２）の一部を収容する凹部（５２ａ，６２ａ，７２ａ）が形成されることを特徴とする請求項１〜６のいずれか１項に記載のスライドファスナーのスライダーカバー。
【請求項８】
前記上部材（５１）と前記下部材（５２）との間であって、且つ前記連結柱（５３）の両側に形成され、スライドファスナー（３０）のファスナーエレメント列（３１）を案内する左右一対のエレメント通路（５６）を更に備えることを特徴とする請求項１〜７のいずれか１項に記載のスライドファスナーのスライダーカバー。
【請求項９】
前記上部材（５１）及び前記下部材（５２）の少なくとも一方には、その左右両側縁に沿って前記ファスナーエレメント列（３１）を案内するフランジがそれぞれ形成されることを特徴とする請求項８に記載のスライドファスナーのスライダーカバー。
【請求項１０】
前記下部材（５２）の下面には、前記左右一対のエレメント通路（５６）に沿って左右一対の凹溝（５２ｂ）が形成されることを特徴とする請求項８又は９に記載のスライドファスナーのスライダーカバー。
【請求項１１】
前記エレメント通路（５６）の軸線（Ｌ１）に対する前記エレメント通路（５６）の入口縁部（５６ａ）の角度（θ）が９０°±２０°に設定されることを特徴とする請求項８〜１０のいずれか１項に記載のスライドファスナーのスライダーカバー。
【請求項１２】
前記下部材（５２，７２，８２）は、前記連結柱（５３，７３，８３）から幅方向外側に延びる左右一対の第１下板（５２ｃ，７２ｃ，８２ｃ）と、前記第１下板から延出し、前記第１下板の上面よりも下方に向けて低く形成された上面からなる第２下板（５２ｄ，７２ｄ，８２ｄ）からなり、
前記第１下板の内面と前記第２下板の内面との間には、前記下翼板（２２）の側壁（２２ａ）に接触可能な段差部（５２ｅ，７２ｅ，８２ｅ）が形成されることを特徴とする請求項７に記載のスライドファスナーのスライダーカバー。
【請求項１３】
前記左右一対の第１下板（７２ｃ）の少なくとも一方は、前記上部材（７１）よりも前方側に延出していることを特徴とする請求項１２に記載のスライドファスナーのスライダーカバー。
【請求項１４】
前記第１下板（７２ｃ）の内面は、その内面の後端部から前方に向けて下り傾斜する傾斜面（７２ｆ）を有することを特徴とする請求項１３に記載のスライドファスナーのスライダーカバー。
【請求項１５】
前記下部材（８２）には、前記スライダー（１０）の前記下翼板（２２）の肩口（２５）側端部から後口（２６）側端部までを収容する凹部（８２ａ）が形成されることを特徴とする請求項１〜６のいずれか１項に記載のスライドファスナーのスライダーカバー。
【請求項１６】
前記スライダーカバー（６０，７０，８０）は、少なくとも前記上部材からなる第１部材（６１，７１，８１）と、少なくとも前記下部材からなる第２部材（６２，７２，８２）とが係合することで形成されており、
前記第１部材及び前記第２部材の少なくとも一方に形成される係合凸部（６３ｂ，７３ａ，８３ａ）と、前記第１部材及び前記第２部材の少なくとも他方に形成される係合凹部（６２ｂ，７７，８７）とにより連結可能であることを特徴とする請求項１〜１５のいずれか１項に記載のスライドファスナーのスライダーカバー。
【請求項１７】
一対のファスナーテープ（３２）と、前記一対のファスナーテープの対向するテープ側縁部にそれぞれ取り付けられる一対のファスナーエレメント列（３１）と、前記一対のファスナーエレメント列に挿通されるスライダー（１０）と、前記スライダーが前記一対のファスナーエレメント列に挿通された状態で、前記スライダーに脱着可能なスライダーカバー（５０，６０，７０，８０）と、を備え、
前記スライダーは、上下方向に離間して並行に配置される上翼板（２１）及び下翼板（２２）と、前記上翼板及び前記下翼板を前端部において連結する案内柱（２３）と、前記上翼板上に設けられる引手取付部（２０ａ）と、を備える胴体（２０）と、前記引手取付部に取り付けられる引手（１１）と、を備え、
前記スライダーカバーは、請求項１〜１６のいずれか１項に記載のスライダーカバーであることを特徴とするスライダーカバー付きスライドファスナー。
【手続補正２】
【補正対象書類名】明細書
【補正対象項目名】００１０
【補正方法】変更
【補正の内容】
【００１０】
本発明の上記目的は、下記の構成により達成される。
（１）上下方向に離間して並行に配置される上部材及び下部材と、上部材及び下部材を連結する連結柱と、を備え、上部材は、スライダーの上翼板の少なくとも一部を収容する収容部を有し、収容部は、上部材の上下面を貫通した孔部であり、収容部は、孔部を形成するための内側面を有し、内側面の少なくとも一部は、上翼板の側壁の少なくとも一部と接触するように、上翼板を収納し、収納部の幅方向両側に、カバー側フランジが設けられ、カバー側フランジは、上部材の幅方向両側縁に沿って下方に向けて突出することを特徴とするスライドファスナーのスライダーカバー。
（２）収容部は、上翼板の全周を収容することを特徴とする（１）に記載のスライドファスナーのスライダーカバー。
（３）収容部は、上翼板よりも大きく形成されており、スライダーカバーがスライダーに取り付けられた状態において、収容部の内側面と上翼板の側壁との間に隙間が形成されることを特徴とする（１）に記載のスライドファスナーのスライダーカバー。
（４）スライダーカバーがスライダーに取り付けられた状態において、上部材の上面と上翼板の上面とが同一高さにあることを特徴とする（１）〜（３）のいずれか１つに記載のスライドファスナーのスライダーカバー。
（５）スライダーは、上翼板の上面に設けられる引手取付部と、引手取付部に取り付けられる引手と、を備え、引手取付部及び引手は、上部材よりも上側に配置されることを特徴する（１）〜（３）のいずれか１つに記載のスライドファスナーのスライダーカバー。
（６）カバー側フランジの下端縁が、上翼板の左右両側縁に沿って下方に向けて突設されるスライダー側フランジの下端縁よりも下方に配置されることを特徴とする（１）〜（５）のいずれか１つに記載のスライドファスナーのスライダーカバー。
（７）下部材には、スライダーの下翼板の一部を収容する凹部が形成されることを特徴とする（１）〜（６）のいずれか１つに記載のスライドファスナーのスライダーカバー。
（８）上部材と下部材との間であって、且つ連結柱の両側に形成され、スライドファスナーのファスナーエレメント列を案内する左右一対のエレメント通路を更に備えることを特徴とする（１）〜（７）のいずれか１つに記載のスライドファスナーのスライダーカバー。
（９）上部材及び下部材の少なくとも一方には、その左右両側縁に沿ってファスナーエレメント列を案内するフランジがそれぞれ形成されることを特徴とする（８）に記載のスライドファスナーのスライダーカバー。
（１０）下部材の下面には、左右一対のエレメント通路に沿って左右一対の凹溝が形成されることを特徴とする（８）又は（９）に記載のスライドファスナーのスライダーカバー。
（１１）エレメント通路の軸線に対するエレメント通路の入口縁部の角度が９０°±２０°に設定されることを特徴とする（８）〜（１０）のいずれか１つに記載のスライドファスナーのスライダーカバー。
（１２）下部材は、連結柱から幅方向外側に延びる左右一対の第１下板と、第１下板から延出し、第１下板の上面よりも下方に向けて低く形成された上面からなる第２下板からなり、第１下板の内面と第２下板の内面との間には、下翼板の側壁に接触可能な段差部が形成されることを特徴とする（７）に記載のスライドファスナーのスライダーカバー。
（１３）左右一対の第１下板の少なくとも一方は、上部材よりも前方側に延出していることを特徴とする（１２）に記載のスライドファスナーのスライダーカバー。
（１４）第１下板の内面は、その内面の後端部から前方に向けて下り傾斜する傾斜面を有することを特徴とする（１３）に記載のスライドファスナーのスライダーカバー。
（１５）下部材には、スライダーの下翼板の肩口側端部から後口側端部までを収容する凹部が形成されることを特徴とする（１）〜（６）のいずれか１つに記載のスライドファスナーのスライダーカバー。
（１６）スライダーカバーは、少なくとも上部材からなる第１部材と、少なくとも下部材からなる第２部材とが係合することで形成されており、第１部材及び第２部材の少なくとも一方に形成される係合凸部と、第１部材及び第２部材の少なくとも他方に形成される係合凹部とにより連結可能であることを特徴とする（１）〜（１５）のいずれか１つに記載のスライドファスナーのスライダーカバー。
（１７）一対のファスナーテープと、一対のファスナーテープの対向するテープ側縁部にそれぞれ取り付けられる一対のファスナーエレメント列と、一対のファスナーエレメント列に挿通されるスライダーと、スライダーが一対のファスナーエレメント列に挿通された状態で、スライダーに脱着可能なスライダーカバーと、を備え、スライダーは、上下方向に離間して並行に配置される上翼板及び下翼板と、上翼板及び下翼板を前端部において連結する案内柱と、上翼板上に設けられる引手取付部と、を備える胴体と、引手取付部に取り付けられる引手と、を備え、スライダーカバーは、（１）〜（１６）のいずれか１つに記載のスライダーカバーであることを特徴とするスライダーカバー付きスライドファスナー。
【手続補正３】
【補正対象書類名】明細書
【補正対象項目名】００１１
【補正方法】変更
【補正の内容】
【００１１】
本発明のスライドファスナーのスライダーカバーによれば、上下方向に離間して並行に配置される上部材及び下部材と、上部材及び下部材を連結する連結柱と、を備え、上部材が、スライダーの上翼板の少なくとも一部を収容する収容部を有するため、スライダーに加工を施すことなく簡単に取り付けることができ、スライダーに別機能を付加することができる。
また、本発明のスライドファスナーのスライダーカバーによれば、収容部は、上部材の上下面を貫通した孔部であり、収容部は、孔部を形成するための内側面を有し、内側面の少なくとも一部は、上翼板の側壁の少なくとも一部と接触するように、上翼板を収納するため、上翼板の側壁が収容部の内側面により囲まれ、スライダーカバーがスライダーに保持される。
【国際調査報告】
2014033926.tif 000028
2014033926.tif 000029
2014033926.tif 000030
2014033926.tif 000031